(57)【要約】      （修正有）【課題】安価でかつ取り扱いや廃棄処理が容易なマスク収納紙ナプキンを提供する。【解決手段】マスク収納紙ナプキン１００は、矩形状の紙シートの一側部を途中まで折り返して重ね合った両縁部を接着して形成された収納ポケット１２０を備える。マスク２００を収納ポケットに入れた後、紙シートの他側部１１２を折って収納ポケット上に重ねることで収納する。紙シートは安価でかつ従来の紙ナプキンと同様に利用できる上に、使用後はそのまま小さく丸めれば、嵩張ることなくそのまま燃えるゴミとして廃棄することができる。【選択図】図４
0003227970.tif 000002
【実用新案登録請求の範囲】
【請求項１】
矩形状の紙シートの一側部を他側部方向にその途中まで折り返して重ね合ったその両縁部を接着して収納ポケットを備えたことを特徴とするマスク収納紙ナプキン。
【請求項２】
請求項１に記載のマスク収納紙ナプキンにおいて、
前記矩形状の紙シートは縦横の大きさがそれぞれ２０ｃｍ以上であることを特徴とするマスク収納紙ナプキン。
【考案の詳細な説明】
【技術分野】
【０００１】
本考案は、顔面の口や鼻を覆うマスク（フェイスマスク）を収納できるマスク収納紙ナプキンに関するものである。
【背景技術】
【０００２】
最近の新型コロナウィルス感染症対策として業務中や日常生活においてもマスクが欠かせない存在となっている。特に、病院や未就学児童施設（保育園）、学校、老人ホーム、飲食店、劇場、文化展示施設及びショッピングモールなどといった比較的密になりやすく不特定多数の人が集まる場所では、マスクをしていない人の入場が断られるケースもある。
【０００３】
しかしながら、居酒屋やレストランなどの飲食店および学校給食などにおいては、飲食時には必ずマスクを外す必要があるが、外したマスクの置き場所に困ることが多い。テーブルに直に置くとそのまま床に落としたり、不衛生だったり、また、テーブルの水滴や料理が付着してマスクが濡れたり汚れてしまうことがある。
【０００４】
このため、例えば以下の特許文献１や２のようなマスクを収納するケースを利用する方法が考えられる。すなわち、特許文献１には１枚のプラスチックシートを折り曲げて重ね合わせ、重ね合わさった底辺を溶着加工したマスク収納ケースが提案されている。また、特許文献２には抗菌加工が施されたポリプロピレン材料を用いて開閉可能場部分と圧着による密閉部分を備えたマスク収納ケースが提案されている。
【先行技術文献】
【特許文献】
【０００５】
【特許文献１】実用新案登録第３２１３７２０号公報
【特許文献２】実用新案登録第３１７０８２７号公報
【考案の概要】
【考案が解決しようとする課題】
【０００６】
しかしながら、前述したような従来のマスク収納ケースはプラスチックシートなどを加工してなるものであるため、材料費や製造コストが高くなってしまう。また、プラスチック（合成樹脂）を材料とするため、使用後にゴミ箱などに廃棄した際にそれらが嵩張ったり、分別が必要なプラスチックごみが大幅に増えてしまうといった不都合がある。
【０００７】
そこで、本考案はこれらの課題を解決するために案出されたものであり、その目的は、安価でかつ取り扱いや廃棄処理が容易な新規なマスク収納紙ナプキンを提供するものである。
【課題を解決するための手段】
【０００８】
前記課題を解決するために第１の考案は、矩形状の紙シートの一側部をその途中まで折り返して重ね合ったその両縁部を接着して収納ポケットを備えたことを特徴とするマスク収納紙ナプキンである。このような構成によれば、顔面から外したマスクをその収納ポケットに入れた後、その紙シートの他側部を折ってその収納ポケット上に重ねることでマスク全体を紙シートで包み込むように収納することができる。
【０００９】
これによって、剥き出しのままマスクをテーブルに置く必要がなくなるため、落下防止や清潔感が保たれると共に、見た目も良好になる。また、マスクの再使用時には、その紙シートは従来の紙ナプキンと同様に利用できる上に、使用後はそのまま小さく丸めれば、嵩張ることなくそのまま燃えるゴミとして廃棄することができる。
【００１０】
第２の考案は第１の考案において、前記矩形状の紙シートは縦横の大きさがそれぞれ２０ｃｍ以上であることを特徴とするマスク収納紙ナプキンである。通常のマスクのサイズは、横が２０ｃｍ未満、縦が１０ｃｍ未満のものが多いことから、紙シートの大きさはこのサイズ以上であれば、殆どのマスクを容易に収納することができる。望ましくは、紙シートの大きさ２５±１ｃｍ程度である。
【考案の効果】
【００１１】
本考案によれば、剥き出しのままマスクをテーブルに置く必要がなくなるため、落下防止や清潔感が保たれると共に、見た目も良好になる。また、マスクの再使用時には、その紙シートは従来の紙ナプキンと同様に利用できる上に、使用後はそのまま小さく丸めれば、嵩張ることなくそのまま燃えるゴミとして廃棄することができる。また、店側としては置き忘れたマスクの廃棄も安心してできる。また、材料が従来の紙ナプキンで利用されている紙シートであるため、製造コストも安価となる。さらに、その表面に文字や図柄などを印刷すれば広告媒体やメッセージカードなどとして活用することができる。
【図面の簡単な説明】
【００１２】
【図１】本考案に係るマスク収納紙ナプキン１００の実施の一形態を示す斜視図である。
【図２】本考案に係るマスク収納紙ナプキン１００の製造工程を示す説明図である。
【図３】取り外したマスク２００を収納ポケット１２０に入れる前の状態を示す説明図である。
【図４】取り外したマスク２００を収納ポケット１２０に入れた状態を示す説明図である。
【図５】収納ポケット１２０にマスク２００を入れて包み込んだ状態を示す説明図である。
【考案を実施するための形態】
【００１３】
以下、本考案の実施の形態を添付図面を参照しながら説明する。図１は本考案に係るマスク収納紙ナプキン１００の実施の一形態を示したものである。図示するようにこのマスク収納紙ナプキン１００は、矩形状をした紙シート１１０の左半分または右半分、あるいは上半分または下半分のいずれかに収納ポケット１２０を備えた構造となっており、例えば図２に示すような工程によって製造される。
【００１４】
図２はこのマスク収納紙ナプキン１００の製造工程を示したものである。まず、同図（Ａ）に示すように、縦横の大きさがそれぞれ２５ｃｍ×２５ｃｍの正方形の紙シート１１０を用いる。この紙シート１１０は、従来の紙ナプキンとして用いられているものと同じくパルプ１００％のもので柔軟性や吸水性に優れたものを用いることが望ましい。また、吸水性やクッション性を向上させるために、花柄や店名などをエンボス加工を施したものが望ましい。色は白色の他、様々なものであっても良い。
【００１５】
次に、同図（Ｂ）に示すようにこの紙シート１１０の一側部１１１（図では左側）を第１の折線Ｌ１から折って他側部１１２（図では右側）方向に重ね合わせる。なお、この第１の折線Ｌ１の位置は例えば一側部１１１の端から約８ｃｍ程度が望ましい。そして、その重ね合わせた部分の両縁部を両面テープ１３０，１３０などによって接着して収納ポケット１２０を作る。なお、この両面テープ１３０，１３０に代えて糊や圧着などによって接着しても良い。
【００１６】
次に、同図（Ｃ）に示すように紙シート１１０の他側部１１２（図では右側）側を第２の折線Ｌ２から折って収納ポケット１２０上に重ね合わせる。なお、この第２の折線Ｌ２もその位置は一側部１１１の端から約８ｃｍ程度が望ましい。これによって紙シート１１０の大きさが元の大きさの約１／３になる。そして、同図（Ｄ）に示すようにその収納ポケット１２０の中央よりやや下側の第３の折線Ｌ３からその下側部分を上方に折って重ね合わせる。これによって、紙シート１１０の大きさが元の大きさの約１／６になるため、従来の紙ナプキンと同様にテーブル上のホルダー（図示せず）に数枚〜十数枚程度纏めて収納しておき、利用者が適宜一枚ずつ取り出して用いることになる。
【００１７】
図３乃至図５はこの本考案に係るマスク収納紙ナプキン１００の使用例を示したものである。図３に示すように利用者は、ホルダーから取り出したマスク収納紙ナプキン１００をテーブル上で広げ、顔面から外したマスク２００をその収納ポケット１２０内に収納する（図４）。なお、このマスク２００は、通常鼻と口を覆う長方形状のマスク本体２１０の両側に顔面保持用のゴム紐２２０、２２０を備えた構造となっているが、マスク本体２１０と耳に掛ける部分が一体的となった立体マスクであっても同様である。
【００１８】
そして、このようにしてマスク２００を収納ポケット１２０内に収納したならば、図５に示すように紙シート１１０の他側部１１２（図では上側）を収納ポケット１２０側に折り返してその上に重ね合わせる。これによって、収納ポケット１２０内に収納されたマスク２００が紙シート１１０で包み込まれて外部からは見えなくなる。
【００１９】
従って、本考案に係るマスク収納紙ナプキン１００を用いれば、剥き出しのままマスク２００をテーブルに置く必要がなくなるため、取り外したマスク２００の落下防止や清潔感が保たれると共に、見た目も良好になる。また、マスク２００を再使用する時には、その紙シート１１０は従来の紙ナプキンと同様に利用できると共に、使用後はそのまま小さく丸めれば、嵩張ることなくそのまま燃えるゴミとして廃棄することができる。
【００２０】
また、店側としては置き忘れたマスクに直に触れることなく紙ナプキンごと一定期間保管または廃棄できるため、安心して処理できる。また、材料が従来の紙ナプキンで利用されている紙シートであるため、プラスチック製の従来のものに比べて製造コストも安価となる。さらに、マスク２００を廃棄する場合は、そのままマスク２００を包み込んだ状態でまとめて廃棄することもできる。また、その表面に文字や図柄などを印刷すれば広告媒体やメッセージカードなどとして活用することができる。
【符号の説明】
【００２１】
１００…マスク収納紙ナプキン
１１０…紙シート
１１１…一側部
１１２…他側部
１２０…収納ポケット
１３０…両面テープ
２００…マスク
Ｌ１…第１の折線
Ｌ２…第２の折線
Ｌ３…第３の折線
【図１】
0003227970.tif 000003
【図２】
0003227970.tif 000004
【図３】
0003227970.tif 000005
【図４】
0003227970.tif 000006
【図５】
0003227970.tif 000007